(57)【要約】【課題】  操作パネルの操作性と視認性を良くすることを主として、扉内に配設する制御ユニットの防水保護をより確実なものとし、又は、制御ユニット中の電源ユニットのメンテナンス性を良くする。【解決手段】  扉表板４７に操作パネル４４を設け、扉表板４７の裏側に、操作パネル４４の操作に応動する制御ユニット６０の少なくとも一部（操作ユニット６１）を配設し、この制御ユニット６０の少なくとも一部をユニットケース５９と扉裏板４８とで二重に覆い、それらユニットケース５９並びに扉裏板４８にそれぞれ水封手段（パッキン５０，７３）を施した。又、制御ユニット６０を操作ユニット６１と電源ユニット６４とに分けて、そのうちの電源ユニット６４を、本体２１に着脱可能に設けたカバー２３の裏側に取付けた。【選択図】  図１
2005118283.tif 000002
【特許請求の範囲】
【請求項１】
内部で食器を洗浄する洗浄室を有すると共に、その洗浄室に対して食器を出し入れするための開口部を有する本体と、
この本体の前記開口部を開閉する扉とを具備し、
その扉の外殻を扉表板と扉裏板とで構成し、
その扉表板に操作パネルを設け、
扉表板の裏側に、前記操作パネルの操作に応動する制御ユニットの少なくとも一部を配設し、
この扉表板の裏側に配設した制御ユニットの少なくとも一部をユニットケースと前記扉裏板とで二重に覆い、
それらユニットケース並びに扉裏板にそれぞれ水封手段を施したことを特徴とする食器洗浄機。
【請求項２】
ユニットケースに施した水封手段が扉表板とユニットケースとの間に挟設するパッキンであって、ユニットケースを扉裏板で扉表板方向に圧していることを特徴とする請求項１記載の食器洗浄機。
【請求項３】
内部で食器を洗浄する洗浄室を有すると共に、その洗浄室に対して食器を出し入れするための開口部を有する本体と、
この本体の前記開口部を開閉する扉とを具備し、
その扉に操作パネルを設け、
その操作パネルの操作に応動する制御ユニットを操作ユニットと電源ユニットとに分けて、
そのうちの電源ユニットを、前記本体に着脱可能に設けたカバーの裏側に取付けたことを特徴とする食器洗浄機。
【請求項４】
操作ユニットと電源ユニットとを接続するリード線を扉の開閉軸支側辺部に沿わせて設けると共に、そのリード線を扉から保護する保護カバーを設けたことを特徴とする請求項３記載の食器洗浄機。
【発明の詳細な説明】
【技術分野】
【０００１】
本発明は、操作パネルの配置を改良した食器洗浄機に関する。
【背景技術】
【０００２】
従来より、食器洗浄機においては、図９に示すように、本体１の前面側に扉２が設けられている。この扉２は、例えば下扉２ａ及び上扉２ｂから成る２分割構造で、下扉２ａが有する手懸け３に手を懸けて下扉２ａを手前に引けば、図１０に示すように、下扉２ａが下端部の左右両側に有する支軸（図示せず）を中心に下方へ回動して開き、それに連動して上扉２ｂが左右両側に有するアーム４（右側の一方のみ図示）を本体１のガイド溝５に案内されて上方に移動し開くようになっている。
【０００３】
そして、その扉２（下扉２ａ及び上扉２ｂ）を開いた状態では、本体１の開口部６と洗浄室７とが現れる。洗浄室７には食器かご８，９が設けられており、これらを開口部６から引き出して洗浄すべき食器を配列し、その後に、それらを洗浄室７内に収める。この後、下扉２ａを引き上げれば、この下扉２ａが上述の支軸を中心に上方へ回動して閉じ、それに連動して上扉２ｂがアーム４を上述のガイド溝５に案内されて下方に移動し閉じる（図９参照）。
【０００４】
そして更に、その状態で、本体１の前面の下部（扉２の下方）に設けられた操作パネル１０が有する操作キー１１を操作して運転を開始させれば、洗浄室７内で図示しない洗浄機構による食器の洗浄が行われるようになっている。
【特許文献１】特開２００３−１８０５９５号公報
【発明の開示】
【発明が解決しようとする課題】
【０００５】
上述のように、従来のものの場合、食器洗浄機の運転を行うための操作キー１１を有する操作パネル１０は、本体１の前面の下部（扉２の下方）に設けられている。このため、それを操作するときには、使用者は身体をかがめて操作する必要があり、操作性が悪かった。又、本体１の前面の下部（扉２の下方）に設けられた操作パネル１０は、見にくくもあって、視認性が悪かった。
【０００６】
本発明は上述の事情に鑑みてなされたものであり、従ってその目的は、第１に、操作パネルの操作性と視認性を良くし、併せて、扉内に配設する制御ユニットの防水保護をより確実なものとし得る食器洗浄機を提供し、第２に、操作パネルの操作性と視認性を良くし、併せて、制御ユニット中の電源ユニットのメンテナンス性を良くし得る食器洗浄機を提供するにある。
【課題を解決するための手段】
【０００７】
上記目的を達成するために、本発明の食器洗浄機においては、第１に、内部で食器を洗浄する洗浄室を有すると共に、その洗浄室に対して食器を出し入れするための開口部を有する本体と、この本体の前記開口部を開閉する扉とを具備し、その扉の外殻を扉表板と扉裏板とで構成し、その扉表板に操作パネルを設け、扉表板の裏側に、前記操作パネルの操作に応動する制御ユニットの少なくとも一部を配設し、この扉表板の裏側に配設した制御ユニットの少なくとも一部をユニットケースと前記扉裏板とで二重に覆い、それらユニットケース並びに扉裏板にそれぞれ水封手段を施したことを特徴とする（請求項１の発明）。
【０００８】
本発明の食器洗浄機においては、第２に、内部で食器を洗浄する洗浄室を有すると共に、その洗浄室に対して食器を出し入れするための開口部を有する本体と、この本体の前記開口部を開閉する扉とを具備し、その扉に操作パネルを設け、その操作パネルの操作に応動する制御ユニットを操作ユニットと電源ユニットとに分けて、そのうちの電源ユニットを、前記本体に着脱可能に設けたカバーの裏側に取付けたことを特徴とする（請求項３の発明）。
【発明の効果】
【０００９】
上記第１の手段（請求項１の発明）によれば、操作パネルが従来よりも上方の扉に位置するから、使用者は身体をかがめることなく操作することができ、又、見やすくもなる。そして、その操作パネルの操作に応動する制御ユニットの少なくとも一部が扉内に位置するのに対して、その制御ユニットの少なくとも一部をユニットケースと扉裏板とで二重に覆い、更に、それらユニットケース及び扉裏板にそれぞれ水封手段を施したことにより、扉内に位置する制御ユニットの防水保護をより確実なものとすることができる。
【００１０】
第２の手段（請求項３の発明）によっても、操作パネルは従来よりも上方の扉に位置するから、使用者は身体をかがめることなく操作することができ、又、見やすくもなる。そして、その操作パネルの操作に応動する制御ユニット中の電源ユニットについては、それを裏側に取付けたカバーを本体から取外すことにより、電源ユニットを本体外に引き出してそのメンテナンスができる。
【発明を実施するための最良の形態】
【００１１】
以下、本発明の第１実施例（第１の実施形態）につき、図１ないし図７を参照して説明する。
まず、図２には、食器洗浄機の本体２１と、これの前面側に設けた扉２２、及び該扉２の下方部に設けたカバー２３を示している。
このうち、本体２１は、外箱２４を外殻とし、これの内部に図１に一部のみ示す内箱２５を配設して、該内箱２５の内部を洗浄室２６としている。この洗浄室２６は、前面側、この場合、前面部から上面の前部にかけてが、開口部２７で示すように開口しており、洗浄室２６内には、その開口部２７から図示しない食器かごを取出し可能に収納している。この食器かごは洗浄すべき食器（これも図示せず）を収納配列するものであり、従って、開口部２７は、該食器かごの出し入れと共に食器の出し入れに供するようになっている。
【００１２】
このほか、図示しないが、洗浄室２６内には、噴水体やヒータ等を配設し、洗浄室２６外（本体２１内）に給水弁や水位検知装置、洗浄ポンプ、排水ポンプ、及び送風機等を配設して、これらの洗浄及び乾燥手段により、上記食器かごに収納配列した食器の洗浄及び乾燥を行うようになっている。
【００１３】
以上の本体２１に対して、扉２２は、詳細には、下扉２８と上扉２９（図２参照）から成っている。そのうち、下扉２８は、下端部の左右両側を図３に示す支軸３０（右側の一方のみ図示）によって上下に回動可能に軸支しており、そのうちの下方への回動によって前記本体２１の開口部２７の下部を開放するようになっている（図３二点鎖線参照）。又、開放された下扉２８は、図示しない保持機構によってほゞ水平の状態に保持されるようになっており、この保持された下扉２８の上面に、前述の洗浄室２６内から引出された食器かごが載置されるようになっている。
【００１４】
そして、その状態からの上方へ回動によって、下扉２８は開口部２７の下部を閉鎖するようになっており（図３実線参照）、この下扉２８の裏面の上部の左右両側には係合爪３１を突設している（右側の一方のみ図示）。この係合爪３１は、下扉２８を閉鎖したとき、本体２１に設けた爪受け機構３２で係合して下扉２８を閉鎖状態にロックするもので、下扉２８に設けた押ボタン３３（図２参照）と連動し、従って、扉開放時にその押ボタン３３を押し込み操作することにより、係合爪３１は爪受け機構３２から解放されて下扉２８のロックを解除するようになっている。
このほか、下扉２８の裏面の下部の左右両側には、図３に示すアーム３４を突設している（右側の一方のみ図示）。
【００１５】
一方、上扉２９には、上部の左右両側に内向きの凸部３５を設け（右側の一方のみ図示）、下部の左右両側からアーム３６を突設して（これも右側の一方のみ図示）、これの各先端部に内向きの凸部３７を設けている。これに対して、本体２１の上部の左右両側、詳細には前記内箱２５の最上部の左右両側とこれより下方の内箱２５の上部の左右両側前部には、それぞれガイド溝３８，３９を形成しており（これらも右側の一方のみ図示）、これらに上記凸部３５，３７を嵌入している。
【００１６】
従って、上扉２９は、凸部３５がガイド溝３８に沿い、凸部３７がガイド溝３９に沿って、それぞれ摺動することにより、本体２１の前面部分では上下に、上面部分では前後に移動するようになっており、その上方及び後方への移動によって、前記開口部２７の上部を開放し（図３二点鎖線参照）、この状態からの前方及び下方への移動によって、前記開口部２７の上部を閉鎖するようになっている（図３実線参照）。
【００１７】
そして、前記下扉２８のアーム３４の先端部と上記上扉２９のアーム３６の先端部とを、リンク４０により連結しており、このリンク４０により、下扉２８と上扉２９は連動して開閉するようになっている。更に、リンク４０と前記内箱２５の上部との間には、引張ばね４１を張架しており、これによって、リンク４０に常時引き上げ力を付与し、ひいては下扉２８と上扉２９に開放力を付与している。従って、前述の押ボタン３３を押し込み操作して係合爪３１を爪受け機構３２から解放させれば、下扉２８と上扉２９は引張ばね４１のばね力により自動的に開放されるようになっている。
なお、上扉２９には、前述の食器の乾燥を行うときの排気をする排気口２９ａを図２に示すように形成している。
【００１８】
このほか、上扉２９には表面にステンレス板等の飾り板４２を被着しており、下扉２８の表面には、同様の飾り板４３を被着すると共に、操作パネル４４を設けている。この操作パネル４４は、上述の洗浄及び乾燥の運転について必要な操作をするためのもので、図４に詳細に示すように、下扉２８の表面の上部に存し、各種の操作キー４５と表示部４６とを有している。
【００１９】
図１は、上記操作パネル４４が存する部分を主とした下扉２８、並びにその下方の前記カバー２３の部分における構成を詳細に示しており、下扉２８は、外殻を扉表板４７と扉裏板４８とで構成している。上記飾り板４３と操作パネル４４は、そのうちの扉表板４７に設けており、前記押ボタン３３も扉表板４７に設けている。又、扉表板４７の裏側には溝４９を形成しており、この溝４９にはパッキン５０を収めている。
【００２０】
図５は上記溝４９及びパッキン５０の形状を示しており、ともにほゞ矩形である。溝４９の周囲には、複数の爪受け部５１と、複数のボス５２を形成しており、溝４９の下方には、ガイド受けリブ５３と、複数のリード線ガイドフック５４、複数のリード線ガイド突起５５、及びリード線ガイドリブ５６を形成している。
なお、扉表板４７の操作パネル４４を設けた部分には、前記操作パネル４４の各種操作キー４５に対応してそれぞれ可動部５７を形成し、表示部４６に対応しては透光窓５８を形成している。
【００２１】
これらに対して、５９はユニットケースを示している。このユニットケース５９は、図１に示す制御ユニット６０中の少なくとも一部（この場合、操作ユニット６１）を収納固定するもので、操作ユニット６１は、前記操作パネル４４の各種操作キー４５（扉表板４７の可動部５７）に応動するスイッチ（例えばタクトスイッチであり、図示せず）と、表示部４６（扉表板４７の透光窓５８）に対応する表示素子（例えば発光ダイオード）６２、及びこれらに関連するマイクロコンピュータ（図示せず）等の電子部品を回路基板６３に実装して構成しており、後述する電源ユニット６４と接続するためのリード線６５を有している。
【００２２】
ユニットケース５９は、一面（図１では左側の前面）が上記操作ユニット６１の収納のために開口しており、周囲には、図５に示すように、上縁部に複数の取付爪６６を、左右の両側縁部と下縁部に複数の取付腕部６７を、そして、下縁部の一方側にリード線ガイド張出部６８をそれぞれ形成しており、背面に複数の突起６９を形成している。
【００２３】
この構成で、ユニットケース５９は、内部に収納固定した前記操作ユニット６１のリード線６５をリード線ガイド張出部６８から導出させた状態で、取付爪６６を前記扉表板４７の爪受け部５１に係合させつつ、開口縁部を前記パッキン５０が収納された溝４９に挿入すると共に、取付腕部６７をボス５２に当てて図６に示すねじ７０により締め付け、かくして、操作ユニット６１を扉表板４８の裏側に配設すると共に、ユニットケース５９の開口縁部を前記パッキン５０に圧接させ、扉表板４８とユニットケース５９との間の水封をするようにしている。従って、パッキン５０はその水封をする水封手段として機能するものである。
【００２４】
又、このとき、上述のリード線ガイド張出部６８は、扉表板４７のガイド受けリブ５３に嵌合し、この状態で、それらの間から導出した操作ユニット６１のリード線６５を、前記リード線ガイドフック５４、リード線ガイド突起５５、リード線ガイドリブ５６に沿わせて配線し、ひいては下扉２８の開閉軸支側辺部である下辺部２８ａに沿わせて設け、リード線ガイドリブ５６に覆い板７１を被せてねじ７２により締め付け固定している。
【００２５】
その上で、前記扉裏板４８には、下縁部に図１に示すパッキン７３を装着し、この状態の扉裏板４８を扉表板４７に結合しており、これによって、前記操作ユニット６１をユニットケース５９と扉裏板４８とで二重に覆うようにすると共に、扉裏板４８をユニットケース５９の突起６９に圧接させて、ユニットケース５９を扉裏板４８で扉表板４７方向に圧している。
なお、パッキン７３はひれ部７３ａを有するもので、そのひれ部７３ａが、下扉２８の閉鎖時に前記内箱２５の開口下縁部に接し、該開口下縁部の水封をするようになっている。従って、パッキン７３はその水封をする水封手段として機能するものである。
又、扉表板４７の透光窓５８には、レンズ板７４を装着している。
【００２６】
更に、図７は、扉表板４７の表面部に形成した溝７５と溝７６とを示しており、これらのうち、溝７５は操作パネル４４の全周に沿い、溝７６は操作パネル４４の左右両側部に沿うもので、溝７５にはパッキン７７を装填して操作パネル４４を密接させ、溝７６内には操作パネル４４の屈曲した左右両外側縁部４４ａと前記飾り板４３の同じく屈曲した左右両内側縁部４３ａとを位置させている。
【００２７】
そして又、溝７６は、図４に示すように、上下に延びており、その下端部には孔７８を形成し、これによって、操作パネル４４及び飾り板４３にかかってそれらの合わせ目（操作パネル４４の左右両外側縁部４４ａと飾り板４３の左右両内側縁部４３ａとの合わせ部分）から溝７６内に入った水を溝７６で下方にガイドし、孔７８から更に下方へ排出するようにしている。
【００２８】
ここで、制御ユニット６０は、操作ユニット６１のほかに電源ユニット６４を有して成るものであり、その電源ユニット６４は、図１に示すように、パワートランジスタやそれに関連するマイクロコンピュータ等の電子部品７９を回路基板８０に実装して構成し、それをユニットケース８１に収納固定している。
そして、そのユニットケース８１を前記カバー２３の裏側に着脱可能に取付けて、電源ユニット６４に前記リード線６５をコネクタ８２により接続し、ひいては前記操作ユニット６１を接続し、この状態のカバー２３を前記外箱２４（本体２１）に着脱可能に取付けている。
【００２９】
又、カバー２３の裏面には、断面コ字形の保護カバー８３を一体に形成しており、これの内部には開放時の下扉２８がその下辺部２８ａを位置させるようになっていて、その後側（保護カバー８３と内箱２５との間）にリード線６５を配線している。この結果、リード線６５は、保護カバー８３によって、開放時の下扉２８の下辺部２８ａから保護されるようになっている。
【００３０】
さて、上述のごとく構成したものの場合、まず、操作パネル４４は扉２２に位置するものであり、従来（図９参照）の本体１の前面の下部（扉２の下方）に設けられた操作パネル１０より上方に位置する。よって、使用者は身体をかがめることなく操作パネル４４を操作できるものであり、操作性を良くすることができる。又、従来の操作パネル１０より上方に位置した操作パネル４４は使用者が見やすくもなるから、視認性を良くすることができる。
【００３１】
そして、その操作パネル４４の操作に応動する制御ユニット６０の少なくとも一部（本構成のものの場合、操作ユニット６１）が扉２２（本構成のものの場合、下扉２８）内に位置するのに対して、その制御ユニットの少なくとも一部をユニットケース５９と下扉２８の扉裏板４８とで二重に覆い、更に、それらユニットケース５９及び扉裏板４８にそれぞれ水封手段（パッキン５０，７３）を施したことにより、扉２２内に位置する制御ユニット(操作ユニット６１)の防水保護をより確実なものとすることができる。
【００３２】
又、この場合、ユニットケース５９に施した水封手段がパッキン５０であって、それに対し、ユニットケース５９を扉裏板４８で扉表板４７方向に圧したことにより、パッキン５０に対するユニットケース５９の圧接度を高めて扉２２内に位置する制御ユニット(操作ユニット６１)の防水保護を更に確実なものとすることができる。加えて、扉裏板４８でユニットケース５９を扉表板４７方向に圧したことにより、扉裏板４８がユニットケース５９で支えられるようになり、扉裏板４８を裏側から押したときのいわゆるべこつきを防止することもできる。
【００３３】
一方、制御ユニット６０中の電源ユニット６４については、それを本体２１に着脱可能に設けたカバー２３の裏側に取付けたことにより、カバー２３を本体２１から取外せば、電源ユニット６４を本体２１外に引き出してそのメンテナンスができるので、メンテナンス性を良くすることができる。
【００３４】
しかも、この場合、操作ユニット６１と電源ユニット６４とを接続するリード線６５を扉２２の開閉軸支側辺部である下扉２８の下辺部２８ａに沿わせて設けているので、扉２２（下扉２８）を開閉するときのリード線６５の屈曲を少なくできて、リード線６５の耐久性を向上させることができ、断線のおそれをなくすことができる。
更に、その場合、リード線６５を扉２２（下扉２８）から保護する保護カバー８３を設けているので、リード線６５の耐久性を更に向上させることができて、断線のおそれを一層なくすことができる。
【００３５】
以上に対して、図８は本発明の第２実施例（第２の実施形態）を示すもので、操作パネル４４を上扉２９に設けたものであり、そのほかは、上記第１実施例と同一である。
このようにしても、第１実施例同様に、操作パネル４４の操作性及び視認性を良くすることができる。
このほか、本発明は上記し且つ図面に示した実施例にのみ限定されるものではなく、要旨を逸脱しない範囲内で適宜変更して実施し得る。
【図面の簡単な説明】
【００３６】
【図１】本発明の第１実施例を示す主要部分の縦断側面図（図４のＸ−Ｘ線に沿う断面図）
【図２】全体の外観斜視図
【図３】一部を破断した全体の側面図
【図４】主要部分の正面図
【図５】主要部分の分解破断斜視図
【図６】主要部分の破断斜視図
【図７】図４のＹ−Ｙ線に沿う、一部省略の横断面図
【図８】本発明の第２実施例を示す図２相当図
【図９】従来例を示す図２相当図
【図１０】全体の開扉状態における斜視図
【符号の説明】
【００３７】
図面中、２１は本体、２２は扉、２３はカバー、２６は洗浄室、２７は開口部、４４は操作パネル、４７は扉表板、４８は扉裏板、５０はパッキン（水封手段）、５９はユニットケース、６０は制御ユニット、６１は操作ユニット、６４は電源ユニット、６５はリード線、７３はパッキン（水封手段）、８３は保護カバーを示す。
【図１】
2005118283.tif 000003
【図２】
2005118283.tif 000004
【図３】
2005118283.tif 000005
【図４】
2005118283.tif 000006
【図５】
2005118283.tif 000007
【図６】
2005118283.tif 000008
【図７】
2005118283.tif 000009
【図８】
2005118283.tif 000010
【図９】
2005118283.tif 000011
【図１０】
2005118283.tif 000012